(57)【特許請求の範囲】
【請求項１】
無線によってガス元栓の開放制御信号または遮断制御信号の送信を行う無線部Ａと、需要家のガス使用者が前記元栓の開放もしくは遮断を行う操作部と、前記操作部より送信されるガス元栓の開放制御信号または遮断制御信号により無線部Ａを動作させる制御部Ａとで構成される無線リモコン親機と、ガス器具と、ガス器具の使用または非使用状態を検出し前記状態信号を送信する無線アダプタと、無線アダプタから送信された状態信号を受信する無線部Ｂと、ガス元栓の開放または遮断を制御する制御部Ｂとで構成された無線リモコン子機と、ガスを供給するガス配管と、ガス配管に取り付けられガスを開放または遮断しかつガス器具非使用状態の時は遮断しているガス元栓を備え、ガス器具を使用した場合、無線アダプタがガス器具の使用状態を検出し、前記ガス器具使用状態信号を無線リモコン子機に送信し、前記使用状態信号を受信した無線リモコン子機は前記ガス元栓を開放するように制御するガス遮断制御システム。
【請求項２】
無線リモコン子機内部に、ガス器具に接続された無線アダプタによって送信されるガス器具の非使用状態信号を受信してからの時間をカウントするタイマーを備え、タイマーに設定されている時間が経過すると自動的にガス元栓を遮断制御する請求項１に記載のガス遮断制御システム。
【請求項３】
無線リモコン親機において、ガス元栓の開放または遮断を行えなくするキーロック部を設け、前記無線リモコン親機は需要家のガス使用者が操作部においてキーロックの操作を行うとガス元栓の開放制御信号の送信をしない請求項１に記載のガス遮断制御システム。
【請求項４】
無線リモコン親機は表示部を備え、前記表示部に少なくともガス元栓の開放・遮断状態を表示する請求項１に記載のガス遮断制御システム。
【請求項５】
ガス器具に遠隔操作リモコンを設け、このガス器具の遠隔操作リモコンに無線リモコン親機を一体型とした請求項１に記載のガス遮断制御システム。
【請求項６】
無線リモコン親機は少なくともガス器具の使用状態、またはガス元栓の開放・遮断状態の表示部を備え、ガス器具の制御を行うガス情報表示制御端末とした請求項１に記載のガス遮断制御システム。
【請求項７】
ガス元栓を開放または遮断された時、前記操作されたガス元栓の開放または遮断状態情報を検知し、前記検知された状態情報を無線リモコン子機によって送信し、前記状態情報信号を受信する無線アダプタと、無線アダプタに接続され状態情報信号を公衆回線へ伝送するための回線制御装置と、前記状態情報信号の集中管理を行う中央管理装置と、前記回線制御装置と中央管理装置を接続している公衆回線等の通信媒体とで構成され、需要家のガス使用者が無線リモコン親機の操作によってガス元栓の開放または遮断の操作を行った時、ガス元栓の開放または遮断状態情報を無線リモコン子機によって検知し、かつ無線リモコン子機は前記状態情報信号を送信し、前記状態情報信号を回線制御装置に接続された無線アダプタによって受信し、回線制御装置によって公衆回線等の通信媒体を介して中央管理装置に知らせる請求項１に記載のガス遮断制御システム。
【請求項８】
無線によってガス元栓の開放制御信号または遮断制御信号の送信を行う無線部Ａと、需要家のガス使用者が前記元栓の開放もしくは遮断を行う操作部と、前記操作部より送信されるガス元栓の開放制御信号または遮断制御信号により無線部Ａを動作させる制御部Ａとで構成される無線リモコン親機と、無線リモコン親機から送信される開放制御信号または遮断制御信号を受信する無線部Ｂと、前記開放制御信号または遮断制御信号によりガス元栓の開放または遮断を行う制御部Ｂとで構成される無線リモコン子機と、ガスを供給するガス配管と、前記ガス配管に取り付けられガス供給の開放または遮断を行うガス元栓と、ガス遮断弁を備えたマイコンガスメータと、前記マイコンガスメータに接続された前記ガス遮断弁の遮断制御信号を受信するマイコンガスメータ側無線リモコン子機を備え、無線リモコン親機からガス元栓側無線リモコン子機にガス元栓の遮断制御信号を送信した時に、前記元栓の遮断制御が行われなかった場合、無線リモコン親機はマイコンガスメータ側無線リモコン子機にマイコンガスメータのガス遮断弁遮断制御信号を送信し、ガスの供給の遮断を行うガス遮断制御システム。
【請求項９】
無線によってガス元栓の開放制御信号または遮断制御信号の送信を行う無線部Ａと、需要家のガス使用者が前記元栓の開放もしくは遮断を行う操作部と、前記操作部より送信されるガス元栓の開放制御信号または遮断制御信号により無線部Ａを動作させる制御部Ａとで構成される無線リモコン親機と、無線リモコン親機から送信される開放制御信号または遮断制御信号を受信する無線部Ｂと、前記開放制御信号または遮断制御信号によりガス元栓の開放または遮断を行う制御部Ｂとで構成される無線リモコン子機と、ガスを供給するガス配管と、前記ガス配管に取り付けられガス供給の開放または遮断を行うガス元栓と、機器、装置、または設備等の状態を検知し、検知した状態によってガス元栓またはマイコンガスメータのガス遮断弁の開放制御信号または遮断制御信号を送信する無線アダプタを備え、前記機器、装置、または設備等の特定の状態を検知した場合において検知信号に連動して無線アダプタによってガス元栓またはマイコンガスメータの遮断弁の開放制御信号または遮断制御信号を無線によって送信し、前記制御信号をガス元栓またはメータ遮断弁に接続された無線リモコン子機によって受信し、ガス元栓またはマイコンガスメータのガス遮断弁を開放または遮断するガス遮断制御システム。
【発明の詳細な説明】
【０００１】
【発明の属する技術分野】
本発明は需要家のガス使用者が、ガスの元栓及びガスメータの遮断弁の開閉を無線を用いたリモコンによって行うガス遮断制御システムに関するものである。
【０００２】
【従来の技術】
外出や就寝時には、防災のためにガスの元栓の状態を確認し、もし遮断されていないガスの元栓がある場合は、その元栓を遮断しなければならない。しかし、近年家庭内で使用されるガス器具は、ガス給湯器、ガスファンヒータ、ガステーブル、ガス炊飯器など多数あり、元栓の状態の確認遮断作業はかならずしも容易でなく、手間のかかるものであった。従来、このガスの元栓の状態を確認するシステムに、特開平１−４９７８２号公報に記載のものが提案されている。図１１に前記公報に示されているシステム構成図を示す。
【０００３】
図１１において６はアンテナ、１０はガスを供給するガス配管、１１はガス配管に取り付けられた電気で駆動する電動ガス元栓、９１はガス元栓開閉検出ユニット、９２はホームセキュリティ表示盤である。この電動ガス元栓の開閉状態検出装置は、ガス配管１０に取り付けられた電動ガス元栓１１にガス元栓開閉時に駆動されるスイッチを取り付け、そのスイッチによって駆動されるガス元栓開閉検出ユニット９１に無線装置を備えて、その検出情報に応じて無線で検出信号をアンテナ６を介して送信し、ホームセキュリティ表示盤９２に電動ガス元栓１１の状態を表示している。
【０００４】
また、ガス元栓と同様にガス供給を遮断開放する装置に、マイコンガスメータがある。この装置は、需要家に設置されているガス配管の一番上流に取り付けられており、地震やガス流量が異常な場合に、内蔵のマイコンの制御により自動的に供給されているガスを遮断する装置である。しかし、マイコンガスメータが、何らかの原因によってガス供給を遮断した場合、ガス供給を再開するにはマイコンガスメータに付いているガス遮断弁の開放スイッチを人の手で操作する必要があった。
【０００５】
従来、このマイコンガスメータの遮断弁の開放作業を行う装置として、特開平８−３３０６５号公報に記載のものが提案されている。図１２は前記公報に示されているガス検針器のシステム構成図である。図１２において、１０１はガス検針員が使用するガス無線検針器、１０２はマイコンガスメータ、１０３は前記マイコンガスメータに取り付けられたメータ側無線機である。この装置は、主として検針員がマイコンガスメータ１０２の機能である需要家のガス使用量を検針するもので、あって、マイコンガスメータ１０２に取り付けられたメータ側無線機１０３を介して無線装置を内蔵したガス無線検針器１０１によって、ガス使用量のデータを吸い上げる装置であって、前記機能に加えてガス遮断弁の状態を判定し、遮断弁が遮断していて開放可能と判定された時は開放の操作を、または遮断弁が開放していてガスが使用されていないと判定された時は遮断の操作を、無線によって制御信号を送信し遮断弁の開閉検査を行っている。
【０００６】
【発明が解決しようとする課題】
しかしながら上記従来のガス元栓の開閉状態検出装置では、表示盤が故障したときに開状態なのに閉状態を表示することがある。また状態表示を見るのは元栓が閉まっていることを確認するときが主で開いていることを確認することは少ないので、前記のような表示盤の故障には気づかない恐れがある。また、ガス元栓で開閉すると本来はガス器具使用のときだけ開くものであるが、実際は開いた状態のままで、閉める操作を行わないことが多く、しかも複数の元栓について閉めなければならないので、閉める操作は容易でなく手間がかかるという課題があった。また、ガス器具に隠れた元栓は開いたままになることが多いという課題もある。さらに元栓遮断の操作は労力が多いとともに時間のかかる作業であるため、時間がない外出時などは非常に煩わしい。さらにガス漏れ検知を行うガス漏れ警報器が作動した場合、ガス使用者はガス漏れが発生していると思われるガス器具の停止もしくはガス元栓を自ら閉める必要があり、ガス漏れが発生している場所に近づかなければならないという課題があった。
【０００７】
また、上記従来のガス検針器によるマイコンガスメータの遮断弁の開閉操作はガス検針員が、前記ガス検針器を使用し無線によって遮断弁の検査を行うものであるが、何らかの原因でマイコンメータの遮断弁の遮断が発生したとき、検針員等のガス供給会社の人が検査するまでガス供給が復帰しない為、遮断理由が明らかであり安全性が確認されている場合などは、ガス使用者は検針員等によって前記無線ガス検針器を用いての検査後の遮断弁開放操作を待つか、もしくは自分でマイコンメータの遮断弁の開放操作を手動で行わなければならないという課題があった。
【０００８】
さらに、メータのガス遮断弁でガス供給の開閉を行うと、メータは屋外に設置されており需要家の家人（ガス使用者）は容易に操作できない。また一部のメータでは家人にはメータガス遮断弁の開閉ができないようになっている。それは、メータにはガス漏れなどを検知して遮断弁を遮断し、ガス供給会社に通報する機能がついており、家人が自由にメータを遮断するとガス漏れによる遮断と区別できないという課題があるためである。
【０００９】
【課題を解決するための手段】
本発明は上記課題を解決するために、ガス開放・遮断用無線リモコン親機を設け、ガス元栓に無線リモコン子機を取り付け、ガス使用者が無線リモコン親機を操作することで、ガス元栓の開放・遮断制御信号を送信し、無線リモコン子機で受信させ、無線リモコン子機がガス元栓を開放・遮断制御できるように構成したものである。この構成にすることで、需要家のガス使用者は屋内に複雑な配線工事をする必要がなくなると共に、遠隔にて容易にガス元栓の開放・遮断を行うことができるようになる。そして、ガス器具を使用した場合、無線アダプタがガス器具の使用状態を検出し、ガス器具使用状態信号を無線リモコン子機に送信し、前記使用状態信号を受信した無線リモコン子機はガス元栓を開放するように制御することができる。これにより、ガス器具が使用されていない場合は、ガス元栓は遮断してあり、ガス器具を使用するときのみガス元栓を無線アダプタによって自動的に開放し、ガス器具を使用することができるようになる為、不必要にガス元栓を開放することを無くすことができる。
【００１２】
【発明の実施の形態】
無線によってガス元栓の開放制御信号または遮断制御信号の送信を行う無線部Ａと、需要家のガス使用者が前記元栓の開放もしくは遮断を行う操作部と、前記操作部より送信されるガス元栓の開放制御信号または遮断制御信号により無線部Ａを動作させる制御部Ａとで構成される無線リモコン親機と、ガス器具と、ガス器具の使用または非使用状態を検出し、前記状態信号を送信する無線アダプタと、無線アダプタから送信された状態信号を受信する無線部Ｂと、ガス元栓の開放または遮断を制御する制御部Ｂとを有して構成された無線リモコン子機と、ガス配管と、ガス配管に取り付けられガスを開放または遮断するとともにガス器具非使用状態の時は遮断しているガス元栓を有するものである。
【００１３】
そして、ガス器具を使用した場合、無線アダプタがガス器具の使用状態を検出し、ガス器具使用状態信号を無線リモコン子機に送信し、前記使用状態信号を受信した無線リモコン子機は電動ガス元栓を開放するように制御することができる。これにより、ガス器具が使用されていない場合は、ガス元栓は遮断してあり、ガス器具を使用するときのみガス元栓を無線アダプタによって自動的に開放し、ガス器具を使用することができるようになる為、不必要にガス元栓を開放することを無くすことができる。
【００１４】
さらに、無線リモコン子機内部に、ガス器具に取り付け接続された無線アダプタによって送信されるガス器具の非使用状態信号を受信してからの時間をカウントするタイマーを有したものである。そして、タイマーに設定されている時間が経過した時自動的に電動ガス元栓を遮断するようにできる。これにより、ガス器具の使用後にガス元栓を遮断しなくても、一定時間後に自動的にガス元栓が遮断されるので、ガス元栓の遮断忘れを無くすことができる。
【００１７】
無線リモコン親機にガス元栓の開放または遮断を行えなくするキーロック部を有するものである。そして、需要家のガス使用者は操作部においてキーロックの操作を行うとガス元栓の開放制御信号の送信ができないようにすることができる。これにより、誤操作や、子供のいたずらによるガス元栓の開放を防ぐことができるため、ガスによる事故の発生を起こりにくくすることができる。
【００１８】
さらに、無線リモコン親機が表示部を有するものである。そして、表示部にガス元栓の開放・遮断状態を表示することができる。これにより、ガス使用者は、ガス開放遮断無線リモコンによって、いつでもガス元栓の状態を知ることができる。
【００１９】
さらに、ガス器具に遠隔操作リモコンを設け、このガス器具の遠隔操作リモコンに無線リモコン親機を一体型に構成したものである。これにより、制御リモコンを増やすことなく、ガス元栓の開放遮断無線リモコンを導入することができるようになる。
【００２０】
さらに、無線リモコン親機は少なくともガス器具の使用状態、またはガス元栓の開放・遮断状態の表示部を有し、ガス器具の制御を行うガス情報表示制御端末として構成したものである。そして、ガス情報表示制御端末として構成された無線リモコン親機は、ガス元栓の状態及びガス器具の使用状態の表示と、ガス元栓の開放・遮断制御とガス器具の制御操作のいずれか一つあるいはこれらを一括して行えるようにできる。これにより、ガス機器の状態を集中して管理できるようになり、また無線を用いてガス元栓等の開放遮断制御を行うように構成しているので、屋内に複雑な配線工事をせずにこの無線を用いたガス情報表示制御端末として構成された無線リモコン親機を導入できる。
【００２１】
さらに、無線リモコン親機と、ガス元栓に開放または遮断制御信号を送信する無線リモコン子機と、ガス元栓を開放または遮断された時、前記操作されたガス元栓の開放または遮断状態情報を検知し、前記検知された状態情報を無線リモコン子機によって送信し、前記状態情報信号を受信する無線アダプタと、無線アダプタに接続され状態情報信号を公衆回線等へ伝送するための回線制御装置と、前記状態情報信号の集中管理を行う中央管理装置と、前記回線制御装置と中央制御装置を接続している公衆回線等の通信媒体とを有したものである。
【００２２】
そして、需要家のガス使用者が無線リモコン親機の操作によってガス元栓の開放または遮断の操作を行った時、ガス元栓の開放または遮断状態情報を無線リモコン子機によって検知してかつ状態情報信号を送信し、前記状態情報信号を回線制御装置に接続された無線アダプタによって受信し、回線制御装置によって公衆回線等の通信媒体を介して中央管理装置に知らせることができる。これにより、中央管理装置が設置されたガス供給会社のガス供給管理センターにおいて、各需要家のガス器具の状態や、ガス元栓の開放・遮断状態を知ることができるので、ガス供給会社としては、ガス供給管理の安全性が向上するとともにガス使用者に対するガス供給の安全管理サービスを向上させることができる。
【００２３】
無線によってガス元栓の開放制御信号または遮断制御信号の送信を行う無線部Ａと、需要家のガス使用者が前記元栓の開放もしくは遮断を行う操作部と、前記操作部より送信されるガス元栓の開放制御信号または遮断制御信号により無線部Ａを動作させる制御部Ａとで構成される無線リモコン親機と、無線リモコン親機から送信される開放制御信号または遮断制御信号を受信する無線部Ｂと、前記開放制御信号または遮断制御信号によりガス元栓の開放または遮断を行う制御部Ｂとで構成される無線リモコン子機と、ガスを供給するガス配管と、前記ガス配管に取り付けられガス供給の開放または遮断を行うガス元栓と、ガス遮断弁を備えたマイコンガスメータと、前記マイコンガスメータに接続された前記ガス遮断弁の遮断制御信号を受信するマイコンガスメータ側無線リモコン子機を有し、無線リモコン親機からガス元栓側無線リモコン子機に送信したガス元栓の遮断制御が行われなかった時、無線リモコン親機はマイコンガスメータ側無線リモコン子機にマイコンガスメータのガス遮断弁遮断制御信号を送信し、ガス供給の遮断を行うことができるようになる。これにより、無線によってガス元栓を遮断しようとした時、何らかの原因によりガス元栓の遮断が不可能な場合において、ガスメータの遮断弁によってガスの供給を遮断することができるので、ガス漏れ発生時等の緊急事態における無線ガス元栓遮断システムの安全性を向上させることができる。
【００２５】
無線によってガス元栓の開放制御信号または遮断制御信号の送信を行う無線部Ａと、需要家のガス使用者が前記元栓の開放もしくは遮断を行う操作部と、前記操作部より送信されるガス元栓の開放制御信号または遮断制御信号により無線部Ａを動作させる制御部Ａとで構成される無線リモコン親機と、無線リモコン親機から送信される開放制御信号または遮断制御信号を受信する無線部Ｂと、前記開放制御信号または遮断制御信号によりガス元栓の開放または遮断を行う制御部Ｂとで構成される無線リモコン子機と、ガスを供給するガス配管と、前記ガス配管に取り付けられガス供給の開放または遮断を行うガス元栓と、機器、装置、または設備等の状態を検知し、検知した状態によってガス元栓またはマイコンガスメータのガス遮断弁の開放制御信号または遮断制御信号を送信する無線アダプタを有したものである。そして、機器、装置、または設備等の特定の状態を検知した場合において検知信号に連動して無線アダプタによりガス元栓またはマイコンガスメータの遮断弁の開放または遮断制御信号を無線によって送信し、前記制御信号をガス元栓またはメータ遮断弁に接続された無線リモコン子機によって受信し、ガス元栓またはマイコンガスメータのガス遮断弁を開放または遮断することができるようになる。
【００２６】
これにより、特定の器具の状態に応じて、自動的にガス元栓やガスメータの遮断弁を遮断操作させることができるので、需要家においてガスを使用しない状況になることを検知できる場合、ガス使用者がガス元栓等のガスの安全確認をしなくてもガス供給の安全性を保つことができる。
【００３０】
以下、本発明の実施例について図面を用いて説明する。
（実施例１）
図１は、本発明の実施例１のガス遮断制御システムの構成ブロック図である。図１において、１は電動ガス元栓の開放・遮断操作を行う為の無線リモコン親機であり、２はガス使用者が無線リモコン親機１において、元栓の開放・遮断操作を行うキーパネルで構成された操作部、３は操作部２からの元栓の開放または遮断制御命令を受け取り、無線リモコン親機１の各部分をコントロールする為のマイクロコンピュータ（以下マイコン）で構成された制御部Ａ、４は制御部Ａ３により出力された制御信号を高周波信号に乗せて送信したり、高周波信号に乗せられた制御信号を受信したりする為の無線部Ａ、５は制御部Ａ３から出力された信号によってガス元栓の開放・遮断状態を表示する表示部、６は電波の入出力のデバイスであるアンテナである。無線リモコン親機１は上記２〜６の要素により構成されている。
【００３１】
また、７は無線リモコン親機と無線により通信を行う為にガス元栓の制御を行う無線リモコン子機であり、８は無線リモコン親機１から送信された電波を受信し、送信されてきた元栓の開放または遮断制御信号を検出したりする無線部Ｂ、９は無線部Ｂ８により検出された制御信号を受けガス元栓の開放または遮断制御を行う制御部Ｂである。無線リモコン子機７は上記の６、８及び９により構成されている。
【００３２】
１０はガスを屋内に供給するために設置されているガス配管であり、１１は電気によって駆動する栓が取り付けられた電動ガス元栓である。電動ガス元栓１１はガス配管１０に取り付けられており、ガスの供給を遮断したり、開放したりする。また前記無線リモコン子機７の制御部Ｂ９は電動ガス元栓１１に接続されており、制御部Ｂ９によって電動ガス元栓１１の開放または遮断制御を行うように構成されている。
【００３３】
次に電動ガス元栓の遮断動作について説明すると、需要家の家人（ガス使用者）が電動ガス元栓１１を遮断しようとする時において、家人が屋内に取り付けられた無線リモコン親機１の操作部２のガス元栓遮断キーを入力すると、操作部２から制御部Ａ３に電動ガス元栓１１の遮断命令が送信され、制御部Ａ３から無線部Ａ４に電動ガス元栓１１の遮断制御信号が出力され、前記信号を無線部Ａ４は高周波信号に変調し、アンテナ６を介して空間に電波として放射する。前記放射された電波は、無線リモコン子機７のアンテナ６を介して無線部Ｂ８によって受信され、前記電動ガス元栓１１の遮断制御信号が復調され、制御部Ｂ９に出力された後に、制御部Ｂ９により電動ガス元栓１１を遮断する。また、電動ガス元栓１１の開放制御についても、家人の操作部２のガス元栓開放キーを入力することで、同様の動作によって行うことができる。
【００３４】
このように家人がガス元栓１１の開放・遮断操作を毎回行うので開放、または遮断エラーが発生しない場合には、無線リモコンによる元栓の開放または遮断制御が正常に動作していることが分る。また、ガス元栓１１で開放・遮断制御を行うと家屋内にガス元栓１１が設置されているので開放・遮断を確認することが容易に行えるようになる。また、無線リモコンを用いていることで、複数あるガス元栓１１を一斉に開放または遮断操作できるようになる。また、家人の意志においてガス元栓１１を開放または遮断できるようになる。またガス元栓１１はガス器具を使用するときにだけ、無線リモコンによって開放制御するようにできる。また、屋内に複雑な配線工事をすることなしに、遠隔において容易にガス元栓１１の開放・遮断を行えるようになるなどの効果がある。
【００３５】
さらに、電動ガス元栓１１の状態表示における動作を説明すると、前記説明のように元栓の遮断動作が完了すると、電動ガス元栓１１が、遮断完了したことを無線リモコン子機７の制御部Ｂ９に出力し、制御部Ｂ９から出力された遮断制御完了信号が無線部Ｂ８により高周波信号に変調され、アンテナ６を介して空間に電波として放射される。前記放射された電波は、無線リモコン親機１のアンテナ６を介して無線部Ａ４によって受信、復調され、遮断完了信号（応答信号）を検出する。前記検出された信号は制御部Ａ３に出力され、制御部Ａ３は表示部５にガス元栓が遮断していることを表示するように制御を行う。また、開放制御を行った時の電動ガス元栓１１の状態表示に関しても、全く同様の動作であり、元栓を開放したことを知らせる為の開放完了信号（応答信号）を無線リモコン子機７は無線リモコン親機１に無線によって返信することで、無線リモコン親機１の表示部５に電動ガス元栓が開放していることを表示する。
【００３６】
なお、前記説明では、電動ガス元栓１１が遮断完了信号または開放完了信号を出力すると説明したが、遮断・開放を検知する装置を設けてその検出信号によって無線リモコン子機７が電動ガス元栓１１の状態を無線リモコン親機１に応答するように構成しても同様の効果がある。
【００３７】
なお、本実施例では電動ガス元栓１１が一つの場合の時を、説明したが、ガス元栓は需要家には複数あるもので、無線リモコン親機１は、複数の電動ガス元栓１１の開放・遮断制御できる構成にすることもでき、そのように構成することで、無線リモコン親機１が１つで済むため、電動ガス元栓１１を集中管理、制御できる。以下どの実施例においても同様で、無線リモコン親機１は、複数の電動ガス元栓１１に対応することができる。
【００３８】
なお、本実施例は電波を使用した無線リモコンによって説明したが、光で通信するリモコンを用いて構成することもでき、以下のどの実施例についても同様に構成することができる。
【００３９】
なお、無線リモコン親機１はモニター装置である表示部５をなくし、ＬＥＤなどで遮断または開放完了信号（応答信号）の検出表示するような構成にすることもできる。さらに、表示部５を全く無くし、応答信号を検知できなかった場合、音などの手段を用いてガス使用者に知らせる構成にすることもでき、このような構成にすることで無線リモコン親機１を安価でかつ小型に構成することができる。
【００４０】
なお、表示部５は液晶モニターであると説明したが、本実施例を含めどの実施例においても、ブラウン管等の他のモニター装置を用いても全く同様な効果が得られる。
【００４１】
（実施例２）
図２は本発明の実施例２のガス遮断制御システムの構成ブロック図である。実施例１と異なるのは、ガス配管１０の片側にガス器具１２が接続されており、ガス器具にはガス器具の使用または非使用状態検知する無線アダプタ１３を接続している点である。
【００４２】
なお、実施例１と同様の構成要素に関しては同一の番号を付しているので説明は省略する。
【００４３】
次に、動作、作用について説明すると、需要家の家人（ガス使用者）が給湯器等のガス器具１２を使用しようとする時、無線アダプタ１３は前記ガス器具１２のＯＮ動作を検知し、無線リモコン子機７に給湯器がＯＮ動作であることを知らせるＯＮ動作検知信号を送信する。そして空間を電波として伝搬し、無線リモコン子機７のアンテナ６を介して無線部Ｂ８によって受信され、前記ＯＮ動作検知信号を検出し、制御部Ｂ９に出力する。前記信号を入力された制御部９は電動ガス元栓１１の開放制御を行う。この動作により、家人がガス給湯器を使用する時、ガス元栓１１を手動で開放操作することなく、自動的に開放されるのでガス使用者の手間が省けるという効果があるとともに、給湯器等のガス器具１２を使用しない状態の時は、ガス元栓１１を遮断させることができるので、不必要にガス元栓１１を開放していることがなくなるので、ガス漏れ等の事故の発生を抑え、ガス使用者の安全性が向上する。
【００４４】
次に、電動ガス元栓１１の状態表示における動作を説明すると、前記実施例１と同様に無線リモコン子機７より無線によって電動ガス元栓１１を開放制御したことを応答する開放完了信号を送信し、無線リモコン親機１にて受信し、前記信号情報に従って制御部Ａ３によって液晶で構成された表示部５にガス元栓の開放を表示させる。これにより、家人にガス元栓１１が開放されていることを視覚的に知らせることができる。
【００４５】
なお、無線リモコン親機１はモニター装置である表示部５をなくし、ＬＥＤなどで遮断または開放完了信号（応答信号）の検出表示するような構成にすることもできる。さらに、表示部５を全く無くし、応答信号を検知できなかった場合、音などの手段を用いてガス使用者に知らせる構成にすることもでき、このような構成にすることで無線リモコン親機１を安価でかつ小型に構成することができる。
【００４６】
なお、無線リモコン子機７はガス元栓の開放完了信号を応答するだけでなく、ガス給湯器等のガス器具１２の使用状態を伝える信号を送信し、無線リモコン親機１の液晶モニターからなる表示部５にガス給湯器が使用状態であることを表示する構成にすることもできる。
【００４７】
（実施例３）
図３は本発明の実施例３のガス遮断制御システムの構成ブロック図である。実施例２とは、無線リモコン子機７に時間をカウントするタイマー１４を備えている点において異なる。
【００４８】
なお、前記実施例と同様の構成要素に関しては同一の番号を付しているので説明は省略する。
【００４９】
次に動作、作用について説明すると、ガス給湯器等のガス器具１２の使用が終了し、ＯＦＦ状態になった時、無線アダプタ１３は給湯器がＯＦＦ状態になったことを検知し、ＯＦＦ状態検知信号をアンテナ６を介して無線によって送信し、前記信号は電波にのって空間を伝搬し、無線リモコン子機７のアンテナ６を介して無線部Ｂ８によって受信検知され制御部Ｂ９に出力され、制御部Ｂ９はタイマー１４へカウント開始信号を出力する。そして、タイマー１４は予め無線リモコン子機７に設定されている時間、たとえば時間カウント開始より３０秒であるとすると、タイマー１４は３０秒をカウントした後、制御部Ｂ９にカウント完了を知らせる信号を出力し、その信号が制御部Ｂ９に入力されると、制御部Ｂ９は電動ガス元栓１１を遮断制御を行う。このように、タイマーに設定されている時間が経過した時、自動的に電動ガス元栓１１を遮断するようにできる為、ガス器具１２の使用後にガス元栓１１を遮断しなくても、一定時間後に自動的にガス元栓１１が遮断されるので、ガス元栓１１の遮断忘れを無くすことができる。また、ガス漏れ等の危険性を減少させることができる。
【００５０】
なお、タイマーカウント時間は３０秒でなくても良く、任意の一定時間後、給湯器等のガス器具１２が非使用状態の場合、すなわちＯＮ状態信号が制御部Ｂ９に入力されない場合に、タイマー１４のカウント完了を知らせる信号によって電動ガス元栓１１を遮断制御するように構成することもできる。
【００５１】
なお、タイマー１４を無線アダプタ１３に備えた構成にし、無線アダプタ１３においてＯＦＦ状態検知後の時間をカウントし、電動ガス元栓１１の遮断制御信号を送信する構成にすることもできる。
【００５２】
次に、電動ガス元栓１１の状態表示における動作を説明すると、前記実施例１と同様に無線リモコン子機７より無線によって電動ガス元栓１１を遮断制御したことを応答する遮断完了信号を送信し、無線リモコン親機１にて受信し、前記信号情報に従って制御部Ａ３によって液晶で構成された表示部５にガス元栓の遮断を表示させる。これにより、家人（ガス使用者）にガス元栓１１が遮断されていることを視覚的に知らせることができる。
【００５３】
なお、無線リモコン親機１はモニター装置である表示部５をなくし、ＬＥＤなどで遮断または開放完了信号（応答信号）の検出表示するような構成にすることもできる。さらに、表示部５を全く無くし、応答信号を検知できなかった場合、音などの手段を用いてガス使用者に知らせる構成にすることもでき、このような構成にすることで無線リモコン親機１を安価でかつ小型に構成することができる。
【００５４】
なお、無線リモコン子機７はガス元栓の遮断完了信号を応答するだけでなく、ガス給湯器等のガス器具１２の非使用状態を伝える信号を送信し、無線リモコン親機１の液晶モニターからなる表示部５にガス給湯器が非使用状態であることを表示する構成にすることもできる。
【００５５】
（実施例４）
図４は本発明の実施例４のガス遮断制御システムの構成ブロック図である。実施例１とは、無線リモコン子機７が接続されている機器がマイコンガスメータ２１である点において異なる。
【００５６】
なお、前記実施例と同様の構成要素に関しては同一の番号を付しているので説明は省略する。
【００５７】
次にマイコンガスメータ２１（以下マイコンメータ）の構成について説明する。マイコンメータ２１は、主たる機能にガスの流量を計測する機能を有しており、マイコンメータ内部には、ガスの流量計測部２２、マイコンで構成されている制御部Ｃ２３、地震やガス流量異状時にガス供給を遮断するための電動ガス遮断弁２４を備えている。またマイコンメータ２１はガス供給会社から配管されているガス配管Ａ２５と、ガスを使用する需要家の屋内に配管されているガス配管Ｂ２６の間に接続されており、ガス供給を監視しているものである。
【００５８】
次に、本発明の動作、作用について説明すると、無線リモコン親機１の操作部２のガス遮断弁遮断キーを入力すると、無線リモコン親機１から無線リモコン子機７へ、無線によってガス遮断弁遮断制御信号が送信され、マイコンメータ２１の制御部Ｃ２３に出力され、その遮断制御信号によって制御部Ｃ２３は電動ガス遮断弁２４を遮断制御する。これにより、無線リモコン親機１によって、需要家の家人（ガス使用者）がマイコンメータ２１のガス遮断弁２４の遮断制御を行うことができるようになる。また、ガス遮断弁２４の開放制御に関しても、家人が操作部２のガス遮断弁開放キーを入力すると、同様に動作しガス遮断弁２４が開放制御される。このように、屋外に設置されているメータのガス遮断弁２４によってガス供給を遮断するので、屋内でのガス漏れの発生を防ぐことができる。また、一箇所の遮断操作のみで良いため閉め忘れが無くなる。また従来常時開放していて異常のあった時に遮断していたが、使うときだけ開放するなど需要家の家人の意志で開閉できるので安全性を向上させることができる。また屋内に複雑な配線工事をすることなしに、遠隔において容易にマイコンメータ２１のガス遮断弁２４の開放・遮断を行えるようになる。また、地震等によってマイコンメータ２１によって自動的にガス供給が遮断された時、需要家のガス使用者によってガスの状態の安全が確認できている場合、ガス会社によるマイコンメータガス遮断弁２４の開放操作を待つことなく、ガス使用者自ら容易に開放操作を行うことができる為、ガス供給の素早い復帰ができるなどの効果がある。
【００５９】
次に、電動ガス遮断弁２４の状態表示における動作を説明すると、前記実施例１と同様に無線リモコン子機７より無線によって電動ガス遮断弁２４を遮断制御したことを応答する遮断完了信号を送信し、無線リモコン親機１にて受信し、前記信号情報に従って制御部Ａ３によって液晶で構成された表示部５にガス元栓の遮断を表示させる。これにより、家人にガス元栓１１が遮断されていることを視覚的に知らせることができる。
【００６０】
なお、無線リモコン親機１はモニター装置である表示部５をなくし、ＬＥＤなどで遮断または開放完了信号（応答信号）の検出表示するような構成にすることもできる。さらに、表示部５を全く無くし、応答信号を検知できなかった場合、音などの手段を用いてガス使用者に知らせる構成にすることもでき、このような構成にすることで無線リモコン親機１を安価でかつ小型に構成することができる。
【００６１】
（実施例５）
図５は本発明の実施例５のガス遮断制御システムの無線リモコン親機１の構成ブロック図であり、図６は本発明の実施例５のガス遮断制御システムの無線リモコン親機１の外観図である。図６において、４１はガス元栓を開放・遮断する元栓開閉キー、４２はマイコンメータのガス遮断弁（以下、ガス遮断弁）を開放・遮断する遮断弁開閉キー、４３はガス元栓またはガス遮断弁を開放制御を禁止する為の弁開ロックキーである。
【００６２】
実施例１の無線リモコン親機１とは、無線リモコン親機１内にガス元栓またはガス遮断弁の開放制御を禁止する為のキーロック部３１（図５参照）を備えている点が異なる。
【００６３】
なお、前記実施例と同様の構成要素に関しては同一の番号を付しているので説明は省略する。
【００６４】
次に、動作、作用について説明すると、需要家の家人が操作部２のガス元栓またはガス遮断弁の開放制御を禁止する弁開ロックキー４３を入力すると、キーロック部３１が動作し、制御部Ａ３においてガス元栓またはガス遮断弁の開放制御信号を出力できないようにする。これによって、無線リモコン親機１は、弁開ロックキー４３を解除しなければ開放制御は行えなくすることができる為、子供のいたずらや、不注意によるガス元栓開放や、遮断弁開放が起こらないようにすることができる。
【００６５】
また、前記実施例１〜４において説明したように、無線リモコン親機１の表示部５には、ガス元栓やガス遮断弁の開放または遮断状態を表示している。これによって、家人はどのガス元栓が遮断しているかなどが視覚的に分るようにすることができる。
【００６６】
なお、キーロック部３１が動作している場合には、表示部５にガス元栓またはガス遮断弁が開放禁止であることを表示するように構成することもできる。
【００６７】
なお、図６において、ガス元栓開閉キー４１は、１組しかないが、ガス元栓の数だけ個別に開閉キーを割り当てる為に複数組のガス元栓開閉キー４１を構成することもでき、以下の実施例においても同様に構成することができる。
【００６８】
（実施例６）
図７は本発明の実施例６のガス遮断制御システムの無線リモコン親機１の構成ブロック図である。
【００６９】
実施例１の無線リモコン親機１とは、無線リモコン親機１内は無線リモコン部５１と、ガス器具を遠隔で操作する為のガス器具制御リモコン５２で構成されており、一体構成になっている点において異なる。
【００７０】
なお、前記実施例と同様の構成要素に関しては同一の番号を付しているので説明は省略する。
【００７１】
次に構成について説明すると、無線リモコン親機１内には、実施例１〜４で説明したように、無線によってガス元栓やガス遮断弁を開放・遮断制御を行う無線リモコン部５１と、ガスエアコン等のガス器具１２を遠隔で操作する為のガス器具制御リモコン部５２の２つの要素から構成され、ガス器具制御リモコン部５２はガスエアコン等のガス器具１２に有線で接続されている構成である。
【００７２】
また、動作、作用について説明すると、無線リモコン部５１は実施例１〜４で説明したように無線によってガス元栓やガス遮断弁の開放・遮断を行い、ガス器具制御リモコン部５２は有線によってガス器具の制御信号を送信し、ガスエアコン等のガス器具１２の操作を行うものである。これにより、ガスエアコン等のガス器具１２の操作リモコンと無線リモコン親機１が一体になっているので、ガス元栓、マイコンメータのガス遮断弁の開放・遮断制御やガスエアコン等のガス器具１２の操作が一つのリモコンで集中操作できる。また、制御リモコンを増やすことなく、ガス元栓及びガスメータのガス遮断弁の開放遮断無線リモコンを導入することができるようになる。
【００７３】
なお、本実施例６において、無線リモコン親機１にガス制御リモコン部５２が一体構成になっているように説明したが、ガス器具制御リモコンに無線リモコン親機１が一体構成となっても同様の効果が得られる。
【００７４】
なお、ガス器具１２としてガスエアコンを用いて説明したが、他のガス器具を使用しても同様の効果がある。
【００７５】
（実施例７）
図８は本発明の実施例７のガス遮断制御システムのガス情報表示制御端末として構成された無線リモコン親機１の外観図である。また、実施例５の無線リモコン親機１と異なる点は、無線リモコン親機１に各種のガス器具を操作するための無線を用いたガス器具制御リモコン部５２を備えて、無線リモコン親機１をガス情報表示制御端末６１として構成しているところである。
【００７６】
なお、前記実施例と同様の構成要素に関しては同一の番号を付しているので説明は省略する。
【００７７】
次に、本発明のガス情報表示制御端末６１の構成、動作を説明すると、前記実施例において説明したように、家人がガス元栓の開放・遮断を行う元栓開閉キー４１と、マイコンメータのガス遮断弁の開放・遮断を行うガス遮断弁開閉キー４２と、ガス元栓及びマイコンメータのガス遮断弁の開放制御を禁止する操作を行う為の弁開ロックキー４３が備えられている。また、ガス情報表示制御端末６１でガス元栓やマイコンメータの開放操作を行ったときには、ガス元栓やマイコンメータに取り付けられた無線アダプタ子機によって応答信号（開放完了信号）が返送され、表示部５にガス元栓やマイコンメータのガス遮断弁が開放されていることを表示するようになっている。また遮断時においても全く同様の動作において表示部５にガス元栓やマイコンメータのガス遮断弁が遮断されていることを表示する。また、給湯器及びガステーブルを使用している場合に、前記給湯器やガステーブルに接続されている無線アダプタによって使用状態を検知され無線によってガス情報表示制御端末６１に前記使用状態検知信号を送信し、その信号を受信したガス情報表示制御端末６１の表示部５に給湯器及びガステーブルが使用されていることを表示することができる。さらに、マイコンメータで計測されているガス使用量も無線リモコン子機によってガス情報表示制御端末６１に送信させることで、表示部５にガス使用量を表示させることもできる。
【００７８】
また、ガス器具の操作を行う無線を用いたガス器具制御リモコン部５２を備えており、給湯器、風呂釜、ガステーブル、ガスエアコンあるいはガスファンヒータなどの各種ガス器具にはガス器具制御リモコン部５２により送信される制御信号を受信しガス器具に制御信号を送信する為の無線アダプタが取り付けられている構成であり、このような構成にすることで、ガス器具制御リモコン部５２によってガスエアコン等のガス器具の操作を遠隔において無線によって行うことができる。このように、ガス情報表示制御端末６１として構成された無線リモコン親機１は、ガス元栓、ガスメータの遮断弁の状態及びガス器具の使用状態の表示と、ガス元栓及びガスメータの遮断弁の開放・遮断制御とガス器具の制御操作を一括して行えるようにできる為、ガス機器の状態を集中して管理できるようになり、また無線を用いてガス元栓等の開放遮断制御を行うように構成しているので、屋内に複雑な配線工事をせずに無線を用いたガス情報表示制御端末６１を導入できる。また、複数の制御リモコンを使用しなくても良い為、ガス使用者としても使い勝手が向上する。
【００７９】
なお、ガス器具制御リモコン部５２は特定のガス器具の制御リモコンと一体とした構成にすることもでき、同様の効果がある。
【００８０】
なお、表示部５はガステーブル等のガス器具の使用状態などの表示だけではなく、ガス器具の故障診断情報や、ガス供給会社からのお知らせなど、ガスに関連する情報を表示するようにも構成できる。
【００８１】
なお、ガス器具１２をガステーブルを用いて説明したが、他のガス器具についても同様の操作ができ、同様の効果がある。
【００８２】
（実施例８）
図９は本発明の実施例８のガス遮断制御システムのシステム構成図である。また、実施例１、４のガス遮断制御システムと異なる点は、ガス元栓やマイコンガスメータのガス遮断弁が開放または遮断操作された時、それぞれ無線リモコン子機７１、７２が、前記ガス元栓やガス遮断弁を開放または遮断したことを無線によって送信する第２の相手である無線アダプタ７３を備え、無線アダプタ７３は公衆回線７５に接続された回線制御装置７４に取り付けられ、前記開放・遮断完了信号が公衆回線を介してガス会社等のガス供給を管理する中央管理装置７６に送信されるところである。
【００８３】
なお、前記実施例と同様の構成要素に関しては同一の番号を付しているので説明は省略する。
【００８４】
次に、動作、作用について説明すると、需要家の家人が就寝時、外出時などに無線リモコン親機１を操作し、電動ガス元栓１１の全てについて遮断操作キーを入力した場合、無線リモコン親機１はガス元栓１１の遮断制御信号を各ガス元栓側無線リモコン子機７１に無線によって送信され、受信された遮断制御信号によって電動ガス元栓１１を遮断制御し、その応答信号（遮断完了信号）を無線リモコン親機１に返送しかつ、無線アダプタ７３にも同様にガス元栓の遮断完了信号を無線によって送信し、前記信号を無線アダプタ７３は受信し、回線制御装置７４を介し公衆回線を通ってガス会社等のガス供給の中央管理装置７６に送信される。
【００８５】
また、前記遮断完了信号には、ガス供給会社の顧客情報であるＩＤ番号も含めて送信している為、中央管理装置７６では、どの需要家のガス元栓１１が遮断されたかを知ることができる。また、全く同様の動作によって、マイコンガスメータ２１の遮断弁２４の遮断時において、前記中央管理装置７６に知らせることができる。このように、中央管理装置７６に知らせることができる為、中央管理装置７６が設置されたガス供給会社のガス供給管理センターにおいて、各需要家のガス器具の状態や、ガス元栓の開放・遮断状態及びガスメータの遮断弁の開放・遮断状態を知ることができる。また家人が元栓またはメータのガス遮断弁２４の開放または遮断を行ったことをガス供給会社は知ることができる為、異状時におけるガスメータの遮断動作と区別することができる。また需要家の家人の在、不在がガス供給会社において知ることができるのでセキュリティと組み合わせることも可能となる。またガス供給管理の安全性が向上するとともにガス使用者に対するガス供給の安全管理サービスを向上させることができるなどの効果がある。
【００８６】
なお、本実施例においては、遮断制御時の場合を説明したが、開放制御時についても全く同様の効果がある。また公衆回線７５を用いて説明した通信媒体は、他の通信回線でも同様の効果が得られる。また、ガス元栓１１の全てについて遮断制御した場合を説明したが、ガス元栓１１の遮断は一つまたは複数の遮断時でも構わない。
【００８７】
次に、本発明の別の動作、作用について説明すると、需要家の家人が無線リモコン親機１を使用して電動ガス元栓１１を遮断操作を行ったとき、電動ガス元栓１１が故障や、障害物や、電力供給の遮断等によって遮断操作ができなかった場合、ガス元栓１１の遮断制御信号を受信したガス元栓側無線リモコン子機７１は応答信号（遮断不能信号）を無線リモコン親機１に送信し、その信号を受信した無線リモコン親機１は自動的にマイコンガスメータ２１に接続されたメータ側無線リモコン子機７２に電動ガス遮断弁２４遮断制御信号を送信し、遮断する。これにより、ガス漏れ発生時などに至急にガス供給を遮断したい場合などに、電動ガス元栓１１にトラブルが発生しても、ガスの供給を遮断することができる。このように、何らかの原因によりガス元栓１１の遮断が不可能な場合において、マイコンガスメータ２１の遮断弁２４によってガスの供給を遮断することができるので、ガス漏れ発生時等の緊急事態における無線ガス元栓遮断システムの安全性を向上させることができる。また同様に、マイコンガスメータ２１のガス遮断弁２４を遮断しようとした時、何らかの原因によりガス遮断弁２４の遮断が不可能な場合において、設置されているガス元栓１１を全て遮断することでガスの供給を遮断することができるので、ガス漏れ発生時等の緊急事態における無線ガス遮断弁遮断システムの安全性を向上させることができる。
【００８８】
なお、本実施例においては電動ガス元栓１１が遮断できない場合にマイコンガスメータタ２１の電動ガス遮断弁２４において、代わりに遮断制御するシステムを説明したが、反対にマイコンガスメータ２１の電動ガス遮断弁２４を遮断できない場合に、全ての電動ガス元栓１１を遮断制御するようにすることもでき、同様の効果がある。
【００８９】
なお、前記実施例のようにガス会社のガス供給を管理している中央管理装置７６に遮断情報を知らせるようにできるとともに、ガス元栓のトラブルも知らせることができる。
【００９０】
（実施例９）
図１０は本発明の実施例９のガス遮断制御システムのシステム構成図である。また、他の実施例のガス遮断制御システムと異なる点は、電動ガス元栓１１またはマイコンガスメータ２１の電動ガス遮断弁２４を他の機器、装置等の状態に連動して、無線アダプタ１３が前記ガス遮断弁遮断制御信号を送信し、前記信号をメータ側無線リモコン子機７２によって受信し、前記無線リモコン子機７２の受信制御信号により、電動ガス遮断弁２４の遮断を行うところである。
【００９１】
図１０において上左図は、家屋等の玄関扉８１に取り付けられている鍵施錠部８２の施錠状態または非施錠状態を検出して前記状態に応じて無線アダプタ１３が無線によって前記状態信号を送信し、ガス元栓側無線リモコン子機７１やメータ側無線リモコン子機７２で受信させ電動ガス元栓１１または電動ガス遮断弁２４を開放・遮断制御するシステム構成である。
【００９２】
また、図１０において上中図は、家屋内のリビングルーム等の部屋の照明器具８３に接続されている照明器具ＯＮ／ＯＦＦスイッチ８４によって照明器具のＯＮ状態またはＯＦＦ状態を無線アダプタ１３によって検知し、無線によって前記状態信号を送信し、ガス元栓側無線リモコン子機７１やメータ側無線リモコン子機７２で受信させ、電動ガス元栓１１または電動ガス遮断弁２４を開放・遮断制御するシステム構成である。
【００９３】
また、図１０において上右図は、時計８５の表示している時刻を無線アダプタ１３によって検知し、予め無線アダプタ１３に設定されている時刻を検知した場合に、無線によって前記状態信号を送信し、ガス元栓側無線リモコン子機７１やメータ側無線リモコン子機７２で受信させ電動ガス元栓１１または電動ガス遮断弁２４を開放・遮断制御するシステム構成である。
【００９４】
なお、前記実施例と同様の構成要素に関しては同一の番号を付しているので説明は省略する。
【００９５】
次に動作、作用を詳細に説明すると、需要家の家人が外出する時に、玄関扉８１の鍵施錠部８２の鍵を閉めた時、無線アダプタ１３は鍵が施錠状態であることを検知し、遮断制御信号を電動ガス元栓１１またはマイコンガスメータ２１に接続されているガス元栓側無線リモコン子機７１またはメータ側無線リモコン子機７２に無線よって送信し、前記遮断制御信号を受信したガス元栓側無線リモコン子機７１は電動ガス元栓１１を、メータ側無線リモコン子機７２は電動ガス遮断弁２４を遮断制御する。これにより家人は外出時など、ガス元栓等の遮断操作を自ら行わなくても自動的にガス元栓等の遮断を行う為、閉め忘れがなくなる。また、家人においては手間のかかるガス元栓等の遮断確認作業を無くすことができ、かつガス使用者のガス元栓等の安全確認に頼ることなくガス供給の安全を確保することができる。
【００９６】
なお、開放制御についても同様に動作することで、鍵施錠部８２の開放検知に連動してガス元栓１１またはマイコンメータのガス遮断弁２４の開放を行う。また玄関扉でない鍵施錠部８２を備えた扉であれば同様の効果がある。
【００９７】
次に照明器具８３に連動する本発明のシステムについて説明すると、リビングルーム等に設置されている照明器具８３をＯＮ・ＯＦＦする照明器具ＯＮ／ＯＦＦスイッチを、需要家の家人の就寝が判断できる夜間帯、たとえば２２時〜翌２時までの時間帯に家人がＯＦＦ操作したとき、前記ＯＦＦ状態を無線アダプタ７３によって検知し、遮断制御信号を無線によってガス元栓側無線リモコン子機７１またはメータ側無線リモコン子機７２に送信し、元栓側無線リモコン子機７１は電動ガス元栓１１を、メータ側無線リモコン子機７２はマイコンメータの電動ガス遮断弁２４の遮断制御を行う。これにより家人は就寝時など、ガス元栓等の遮断操作を自ら行わなくても自動的にガス元栓等の遮断を行う為、閉め忘れがなくなる。また家人においては手間のかかるガス元栓等の遮断確認作業を無くすことができ、かつガス使用者のガス元栓等の安全確認に頼ることなくガス供給の安全を確保することができる。
【００９８】
なお、家人の就寝を判断できる時間帯は２２時〜翌２時まででなくても良く、就寝が判断できれば時間帯は自由に設定しても同様の効果が得られる。
【００９９】
なお、開放制御についても同様に動作することで、照明器具８３のＯＮ検知に連動してガス元栓１１またはマイコンメータのガス遮断弁２４の開放を行う。またリビングルームでない場所に設置されている照明器具８３に連動するように構成しても同様の効果がある。
【０１００】
次に時計の時刻に連動する本発明のシステムについて説明すると、需要家の家人が自分でガス器具の使用しないと思われる時間帯、会社に出勤中である時間帯または就寝している時間帯等において無線アダプタ１３に、前記時間帯を設定しておくと、前記時間帯の開始時刻を時計８５より無線アダプタ７３が検知した時、無線によってガス元栓側無線リモコン子機７１もしくはメータ側無線リモコン子機７２に遮断制御信号を送信し、元栓側無線リモコン子機７１は電動ガス元栓１１を、メータ側無線リモコン子機７２はマイコンメータの電動ガス遮断弁２４の遮断制御を行う。また、時間帯の終了時刻を無線アダプタ１３によって検知した場合には同様な動作によってガス元栓１１またはマイコンメータのガス遮断弁２４の開放制御を行う。
【０１０１】
これにより家人は出勤時間帯や就寝時間帯などにおいて、ガス元栓等の遮断操作を自ら行わなくても自動的にガス元栓等が遮断されている為、元栓等の閉め忘れが無くなる。また、ガス使用者においては手間のかかるガス元栓等の遮断確認作業を無くすことができ、かつガス使用者のガス元栓等の安全確認に頼ることなくガス供給の安全を確保することができる。
【０１０２】
なお、上記の３種類の機器に連動して無線によってガス元栓１１またはマイコンメータのガス遮断弁２４を開放・遮断制御するように構成したが、ガス器具が使用されない状態を検知できる機器であればどのようなものに連動しても良く、同様の効果が得られる。
【０１０３】
なお、本実施例のシステムは、前記実施例８のようにガス会社のガス供給を管理している中央管理装置７６に遮断情報を知らせるように構成することもでき、同様の効果が得られる。
【０１０５】
【発明の効果】
以上説明したように本発明のガス遮断制御システムによれば、ガス器具を使用した場合、無線アダプタがガス器具の使用状態を検出し、ガス器具使用状態信号を無線リモコン子機に送信し、前記使用状態信号を受信した無線リモコン子機はガス元栓を開放するように制御することができる。これにより、ガス器具が使用されていない場合は、ガス元栓は遮断してあり、ガス器具を使用するときのみガス元栓を無線アダプタによって自動的に開放し、ガス器具を使用することができる為、不必要にガス元栓を開放するようなことを無くすことができ、ガス供給の安全性が向上する。
【０１０６】
さらに、無線リモコン子機内部に、ガス器具に取り付け接続された無線アダプタによって送信されるガス器具の非使用状態信号を受信してからの時間をカウントするタイマーを有したことで、タイマーに設定されている時間が経過した時、自動的に電動ガス元栓を遮断するようにできる為、ガス器具の使用後にガス元栓を遮断しなくても、一定時間後に自動的にガス元栓が遮断されるので、ガス元栓の遮断忘れを無くすことができる。これによって、ガス漏れ等の危険性を減少させることができる。
【０１０８】
さらに、無線リモコン親機にガス元栓の開放または遮断を行えなくするキーロック部を有することで、需要家のガス使用者は操作部においてキーロックの操作を行うとガス元栓の開放制御信号の送信ができないようにすることができ、誤操作や、子供のいたずらによるガス元栓の開放を防ぐことができる。また、ガスによる事故の発生を起こりにくくすることができる。また、ガス元栓の開放操作のみにキーロックされているので、ガス漏れ等の緊急時には、ガス供給は遮断することができる。
【０１０９】
さらに、無線リモコン親機が表示部を有することで、表示部にガス元栓の開放・遮断状態を表示することができ、家人はガス開放・遮断無線リモコンによって、いつでも容易にガス元栓の状態を知ることができる。
【０１１０】
さらに、無線リモコン親機とガス器具の遠隔操作リモコンとを一体型に構成したことで、ガス元栓の開放・遮断制御やガス器具の操作が一つのリモコンで集中操作できる。また、制御リモコンを増やすことなく、ガス元栓の開放遮断無線リモコンを導入することができるようになる。
【０１１１】
さらに、無線リモコン親機はガス器具の使用状態、ガス元栓の開放・遮断状態などの表示部を有し、ガス器具の制御を行うガス情報表示制御端末として構成することで、無線リモコン親機は、ガス元栓の状態及びガス器具の使用状態の表示と、ガス元栓の開放・遮断制御とガス器具の制御操作を一括して行えるようにでき、よってガス機器の状態を集中して管理できるようになり、また無線を用いてガス元栓等の開放遮断制御を行うように構成しているので、屋内に複雑な配線工事をせずに無線を用いたガス情報表示制御端末を導入できるとともに、複数の制御リモコンを使用しなくても良い為、ガス使用者としても使い勝手が向上する。また、複数のリモコンが一体となっているので、部品の共有が図れるので製造上においてもコストが削減できるという効果がある。
【０１１２】
さらに、需要家のガス使用者が無線リモコン親機の操作によってガス元栓の開放または遮断の操作を行った時、ガス元栓の開放または遮断状態情報を無線リモコン子機によって検知してかつ状態情報信号を送信し、前記状態情報信号を回線制御装置に接続された無線アダプタによって受信し、回線制御装置によって公衆回線等を介して中央管理装置に知らせることができる為、中央管理装置が設置されたガス供給会社のガス供給管理センターにおいて、各需要家のガス器具の状態や、ガス元栓の開放・遮断状態を知ることができる。また家人が元栓の開放または遮断を行ったことをガス供給会社は知ることができる為、異状時におけるガスメータの遮断動作と区別することができる。また需要家の家人の在、不在がガス供給会社において知ることができるのでセキュリティと組み合わせることも可能となる。またガス供給管理の安全性が向上するとともにガス使用者に対するガス供給の安全管理サービスを向上させることができる。
【０１１３】
さらに、無線リモコン親機と、ガス元栓に接続されたガス元栓側無線リモコン子機と、マイコンガスメータに接続されたマイコンメータ側無線リモコン子機とを備えたガス遮断制御システムを構成することによって、無線によってガス元栓を遮断しようとした時、何らかの原因によりガス元栓の遮断が不可能な場合において、マイコンガスメータの遮断弁によってガスの供給を遮断することができるので、ガス漏れ発生時等の緊急事態における無線ガス元栓遮断システムの安全性を向上させることができる。
【０１１５】
さらに機器、装置、または設備等の状態を検知し、検知した状態によってガス元栓またはマイコンガスメータのガス遮断弁の開放制御信号または遮断制御信号を送信する無線アダプタを有することで、機器、装置、または設備等の特定の状態を検知した場合において検知信号に連動して無線アダプタによりガス元栓またはマイコンガスメータの遮断弁の開放または遮断制御信号を無線によって送信し、前記制御信号をガス元栓またはメータ遮断弁に接続された無線リモコン子機によって受信し、ガス元栓またはマイコンガスメータのガス遮断弁を開放または遮断することができるようになる為、特定の器具の状態に応じて、自動的にガス元栓やガスメータの遮断弁を遮断操作させることができ、よって需要家においてガスを使用しない状況を検知でき、ガスを使用しない場合において、ガス使用者がガス元栓等のガスの安全確認をしなくても、ガス供給の安全性を保つことができる。
【図面の簡単な説明】
【図１】本発明の実施例１のガス遮断制御システムの構成ブロック図
【図２】本発明の実施例２のガス遮断制御システムの構成ブロック図
【図３】本発明の実施例３のガス遮断制御システムの構成ブロック図
【図４】本発明の実施例４のガス遮断制御システムの構成ブロック図
【図５】本発明の実施例５の無線リモコン親機の構成ブロック図
【図６】同実施例５の無線リモコン親機の外観図
【図７】本発明の実施例６の無線リモコン親機の構成ブロック図
【図８】本発明の実施例７のガス情報表示制御端末の外観図
【図９】本発明の実施例８のガス遮断制御システムのシステム構成図
【図１０】本発明の実施例９のガス遮断制御システムのシステム構成図
【図１１】従来のガス栓の開閉状態検出装置のシステム構成図
【図１２】従来の無線を用いたガス検針器のシステム構成図
【符号の説明】
１  無線リモコン親機
２  操作部
３  制御部Ａ
４  無線部Ａ
５  表示部
７  無線リモコン子機
８  無線部Ｂ
９  制御部Ｂ
１０  ガス配管
１１  電動ガス元栓
１２  ガス器具
１３，７３  無線アダプタ
１４  タイマー
２１  マイコンガスメータ
２３  制御部Ｃ
２４  電動ガス遮断弁
２５  ガス配管Ａ
２６  ガス配管Ｂ
３１  キーロック部
６１  ガス情報表示制御端末
７４  回線制御装置
７５  公衆回線
７６  中央管理装置
８１  扉
８２  鍵施錠部
【図１】
0003755189.tif 000002
【図２】
0003755189.tif 000003
【図３】
0003755189.tif 000004
【図４】
0003755189.tif 000005
【図５】
0003755189.tif 000006
【図６】
0003755189.tif 000007
【図７】
0003755189.tif 000008
【図８】
0003755189.tif 000009
【図９】
0003755189.tif 000010
【図１０】
0003755189.tif 000011
【図１１】
0003755189.tif 000012
【図１２】
0003755189.tif 000013